(57)【要約】    【課題】本発明は、上記課題に鑑み、被災状況に応じて、自動販売機の稼動状態を切り換えることができるとともに、必要に無停電電源装置側に切り換えることができる自動販売機を提供することである。    【解決手段】商用電源からの給電の他に、無停電電源装置を備え、常時は、商用電源側からの給電により商品の販売を行うとともに無停電電源装置への充電を行うようにした自動販売機において、停電による商用電源停止時に、商用電源側から無停電電源装置側へ切り換えるための手動の操作手段と、該操作手段の操作により無停電電源装置側に切り換えられたことを検知して、無料販売モードに切り換える制御手段とを備えたことを特徴とする。【選択図】      図１
2006195950.tif 000002
【特許請求の範囲】
【請求項１】
商用電源からの給電の他に、無停電電源装置を備え、常時は、商用電源側からの給電により商品の販売を行うとともに無停電電源装置への充電を行うようにした自動販売機において、
商用電源と無停電電源装置との切り換えを行うための手動の操作手段と、
停電による商用電源停止時に、該操作手段の操作により無停電電源装置側に切り換えられたことを検知して、無料販売モードに切り換える制御手段とを備えたことを特徴とする自動販売機。
【請求項２】
請求項１に記載の自動販売機において、モード切換手段を備え、通常の販売モードと通常の無料販売モードと災害時の無料販売モードと災害時の有料販売モードとを切り換え可能にしたことを特徴とする自動販売機。
【請求項３】
請求項１または２に記載の自動販売機において、照明装置、冷却装置、加熱装置への電力供給を停止することを特徴とする自動販売機。
【請求項４】
請求項１または２に記載の自動販売機において、商品選択ボタンと商品搬出装置に電力供給を行うことを特徴とする自動販売機。
【請求項５】
請求項１ないし４のいずれかに記載の自動販売機において、災害時の無料販売モードの販売モードとして単品販売モードあるいは連続販売モードとに切り換え可能であることを特徴とする自動販売機。
【請求項６】
請求項５に記載の自動販売機において、単品販売モードあるいは連続販売モードは、商品選択ボタンの操作により切り換え可能であることを特徴とする自動販売機。
【請求項７】
請求項１ないし６のいずれかに記載の自動販売機において、操作手段は、自動販売機の外側から操作されるキースイッチであることを特徴とする自動販売機。
【請求項８】
請求項７に記載の自動販売機において、商用電源と無停電電源装置とを切り換える際に、商用電源と無停電電源装置間との短絡を防止する防止回路を設けたことを特徴とする自動販売機。
【請求項９】
請求項１ないし８のいずれかに記載の自動販売機において、商用電源と無停電電源装置との切り換えを、手動による切換と自動による切換とを設定できることを特徴とする自動販売機。
【請求項１０】
請求項１ないし９のいずれかに記載の自動販売機において、無停電電源装置側に商用電源が停電状態であるか否かを検出する検出手段を設け、前記操作手段の操作にて無停電電源装置側に切り換えられたとしても、該検出手段の検出により商用電源が停電状態ではないと判断した場合には無停電電源装置の起動を行わないようしたことを特徴とする自動販売機。
【発明の詳細な説明】
【技術分野】
【０００１】
本発明は、大規模地震などの災害で商用電源が停電した際に、商品を提供できる自動販売機に関し、特に、災害規模に応じて商品の搬出を行うことができる自動販売機に関する。
【背景技術】
【０００２】
従来の災害対策用の自動販売機の販売方式としては、以下の販売方式が知られている。
第１の販売方式としては、商用電源が停電などにより、通常販売が行えない場合に、自動販売機内の商品を手動により搬出可能とし、無料にて自動販売機内の商品を提供できるようにしたものが知られている（例えば、特許文献１）。
また、第２の販売方式としては、商用電源が停電などにより、通常販売が行えない場合に、バッテリを搭載しておき、自動販売機内の商品をバッテリにより搬出可能とし、無料にて自動販売機内の商品を提供できるようにしたものが知られている（例えば、特許文献２）。
【特許文献１】特開２０００−１２３２２７号公報
【特許文献２】特開２０００−１３２７３７号公報
【発明の開示】
【発明が解決しようとする課題】
【０００３】
ところで、上記の販売方式では、災害の規模に関係なく、商用電源が停電の場合、手動あるいはバッテリを使用して、無条件に自動販売機内の商品を無料で提供するようになっている。
しかしながら、例えば、自動販売機の設置場所、あるいは避難所の規模、避難者の人数などに関係無く、上記の販売方式では一律に無料販売による商品提供となってしまい、商品の無料提供が一部の人だけに渡り、なかなか全員に行き届かないという問題がある。
また、被災が軽微で、商用電源が無い時には、普通に、販売することにより利便性が高まるにも関わらず、その機能が無いといったことも問題である。
さらに、災害による商用電源の停電時に、災害対策用のバッテリに自動切換を行うため、停電後、すぐに自動販売機への電力供給がバッテリに切り換わり、停電後に所定期間経過するとそのバッテリの容量を使い切ってしまい、本来、使用したい時に使えない場合が考えられる。
【０００４】
このように、被災状況あるいはその環境に応じた対応ができないのが実情であり、改善が望まされていた。
本発明は、上記課題に鑑み、被災状況に応じて、自動販売機の稼動状態を切り換えることができるとともに、必要に無停電電源装置側に切り換えることができる自動販売機を提供することを目的とする。
【課題を解決するための手段】
【０００５】
上記目的を達成するために、本発明は、商用電源からの給電の他に、無停電電源装置を備え、常時は、商用電源側からの給電により商品の販売を行うとともに無停電電源装置への充電を行うようにした自動販売機において、停電による商用電源停止時に、商用電源側から無停電電源装置側へ切り換えるための手動の操作手段と、該操作手段の操作により無停電電源装置側に切り換えられたことを検知して、無料販売モードに切り換える制御手段とを備えたことを特徴とする。
また、上記構成に加え、以下の構成を選択的に有するものである。
（１）モード切換手段を備え、通常の販売モードと通常の無料販売モードと災害時の無料販売モードと災害時の有料販売モードとを切り換え可能にしたことを特徴とする。
（２）無停電電源装置による給電の際には、照明装置、冷却装置、加熱装置への電力供給を停止し、商品選択ボタンと商品搬出装置に電力を供給することを特徴とする。
（３）災害時の無料販売モードの販売モードとして単品販売モードあるいは連続販売モードとに切り換え可能であり、このモードの切換は、商品選択ボタンの操作によることを特徴とする。
（４）手動の操作手段は、自動販売機の外側から操作されるキースイッチであることを特徴とする。
（５）商用電源と無停電電源装置とを切り換える際に、商用電源と無停電電源装置間との短絡を防止する防止回路を設けたことを特徴とする。
（６）商用電源と無停電電源装置とのへ切換えを、手動による切換と自動による切換とを設定できることを特徴とする。
（７）無停電電源装置側に商用電源が停電状態であるか否かを検出する検出手段を設け、前記操作手段の操作にて無停電電源装置側に切り換えられたとしても、該検出手段の検出により商用電源が停電状態ではないと判断した場合には無停電電源装置の起動を行わないようしたことを特徴とする。
【発明の効果】
【０００６】
本発明は、停電による商用電源停止時に、商用電源側から無停電電源装置側へ切り換えるための手動の操作手段と、該操作手段の操作により無停電電源装置側に切り換えられたことを検知して、無料販売モードに切り換える制御手段とを備えたことにより、災害に飲料などの商品が必要な段階で、自動販売機内の商品を無償で提供でき、無停電電源装置には当然その容量に応じた寿命があり、高性能なものでも一般的には数日持つものは少なく、このため、この機能を有効にする切換を手動にすることにより、必要とする時に必ず自動販売機が使用できるという効果が得られる。
また、モード切換手段を備え、通常の販売モード，通常の無料販売モード，災害時の無料販売，災害時の有料販売モードとを切り換え可能にしたことにより、被災者が多数いる場所で、とにかくすぐに自動販売機内の商品を多量に提供したい場合は無料連続販売にて商品搬出を行い、被害状況が甚大であるが、被災者が少ない場合は自動販売機内の商品を無料単品販売にて商品搬出を行い、被害状況は軽微で、停電状態の場合は、自動販売機内の商品を販売できるという機能を選択することで、自動販売機の社会性・利便性を高めることができるという効果が得られ、しかも、災害時の無料販売モードにおいて、単品販売と連続販売とを切換可能にしておくことで、商品を必要とする人数に応じて自動販売機内の商品を無償で提供できるという効果が得られる。
【０００７】
さらに、操作手段としてのキースイッチを自動販売機外側に設けたことで、自動販売機の扉を開けることなく、自動販売機内の商品を無償で提供できるという効果が得られる。
また、商用電源と無停電電源装置とを切り換える際に、商用電源と無停電電源装置間との短絡を防止する防止回路を設けたことで、電源切換時の電源間短絡も無くなるという効果が得られる。
【発明を実施するための最良の形態】
【０００８】
以下に、本発明の実施の形態を示す図１ないし図１２を用いて、以下に説明する。
（実施例１）
まず、本発明の実施例１について、図１ないし図５を用いて説明する。
図５は、本発明の実施の対象となる自動販売機の概略正面図の一例を示すものでであり、自動販売機１は、その本体キャビネット前面に外扉２０を備えており、本体キャビネット内には複数（ｎ個）のコラムを備えている。このコラムは、例えばサーペンタイン式のラックから成るもので、複数種類の商品を個別に収納する一方、商品選択ボタンが押され、販売指令が与えられた場合に押された商品選択ボタン対応する商品の払い出しを行う。
外扉２０は、本体キャビネットの前面開口を開閉する態様で、該本体キャビネット１０の一側縁部に支承させたものである。この外扉２０には、その表面側に商品見本展示室２１、販売可能ランプおよび売切ランプを内蔵する商品選択ボタン２２、紙幣あるいはカード挿通口２３、硬貨投入口２４、返却レバー２５、金額表示器２６、硬貨返却口２７、商品取出口２８が設けてある。
【０００９】
商品見本展示室２１は、外扉２０の上部に構成した透明の窓であり、内部に配列した商品見本２９を外部に視認させることが可能である。商品見本展示室を通じて視認される商品見本２９は、それぞれコラムに収納した商品を現し、商品選択ボタン２２と対応して設けられている。
次に、図１は、本発明の一実施の形態を示す構成ブロック図である。
１１は自動販売機全体を制御し、制御プログラムを記憶するメモリ１１ａおよび各種データを記憶するメモリ１１ｂを備える主制御部である。
この主制御部１１には、通常の販売モード、通常の無料販売モード、災害時の無料単品販売モード、災害時の無料連続販売モード、災害時の有料販売モードとを切り換え可能な動作モード切換部を有し、販売モード設定、価格設定、ロケーション情報などの必要なデータを入力する設定入力部１２、硬貨，紙幣，カードなどの受入、演算を行う貨幣処理部１３、冷熱装置１４ａを制御する冷熱制御部１４、商品を搬出する搬出装置１５ａを制御する搬出制御部１５、蛍光灯などの照明装置１６ａを制御する照明制御部１６、商用電源入力部１７、商用電源が使用できない時に使用する蓄電池としての無停電電源装置１８、商用電源入力部１７と無停電電源装置１８とを切り換えるため操作手段を含む電源切換部１９が接続されており、商品選択ボタン、金額表示器２６もそれぞれ接続されており、商用電源入力部１７、無停電電源装置１８共に、ＡＣ１００５Ｖ電源に接続されており、無停電電源装置１８は常時、充電状態にある。
【００１０】
なお、設定入力部１２の動作モードにおいては、手動切換あるいは商用電源の停電を検出することによる自動切換を選択でき、また、予め停電時の動作モードを設定しておくことも可能であり、さらに、自動販売機が設置されている場所を入力しておくことで動作モードを決定してもよい。
また、電源切換部１９は、商用電源入力部１７と無停電電源装置１８との手動切換あるいは停電検出機能を設けて自動切換を選択できるようになっている。
次に、図２，図３は、図１の電源切換部１９の具体的なブロック図を示すもので、商用電源入力部１７の電源ラインに手動式の切換スイッチ１９ａを設け、切換スイッチ１９ａを操作することにより、無停電電源装置１８側に電源ラインを切り換わるように構成されている。
【００１１】
まず、図２のブロック図では、無停電電源装置の電源ラインにリレーＹが介挿され、このリレーＹの接点Ｙｂが冷熱装置１４ａと冷熱制御部１４との間、照明制御部1６ａと照明装置１６との間に介挿されており、切換スイッチ１９ａが操作されて無停電電源装置１８側に切り換えられることでリレーＹがオンし、接点Ｙｂが開放されるようになっている。また、図３のブロック図では、切換スイッチ１９ａが操作されて無停電電源装置１８側に切り換えられることで、無停電電源装置１８に切り換わったことによる出力信号が各制御部に出力される。
この構成において、図４のフローチャートを用いて、各モードについてその動作を順に説明する。
〔通常販売モード〕
通常の販売モードでは（ステップＳ１１）、自動販売機１は商用電源入力部１７からの給電により稼動しており、販売待機状態において、硬貨投入口２４に所定金額の硬貨が投入されると（ステップＳ１２）、商品選択ボタン２２の販売可ランプが点灯し、商品選択ボタン２２が押されると（ステップＳ１３）、搬出制御部１５から押された商品選択ボタン２２に対応する搬出装置１５ａに対して商品の搬出指令が出され、対応するコラムから商品が商品取出口２８へ搬出され（ステップＳ１４）、釣銭がある場合には硬貨返却口２７から釣銭が返却されて、商品の一販売が終了する。
【００１２】
なお、硬貨による例を示したが、紙幣あるいはカードにおいても、同様の販売形態となる。
〔通常の無料販売モード〕
通常の無料販売モードでは（ステップＳ２１）、自動販売機１は商用電源入力部１７からの給電にて稼動しており、販売待機状態において、商品が収納されているコラムに対応する販売可ランプが点灯した状態となっている。この状態において、商品選択ボタン２２が押されると（ステップＳ２２）、搬出制御部１５から押された商品選択ボタン２２に対応する搬出装置１５ａに対して商品の搬出指令が出され、対応するコラムから商品が商品取出口２８へ搬出され（ステップＳ２３）、通常の無料販売が終了する。
この通常の無料販売モードとは、例えば、イベント会場などにて自動販売機内の商品を無料で提供しようとする場合に使用されるものであり、本数あるいは時間による制限も可能である。
〔災害時の無料単品販売モード〕
災害時の販売モードにおいては、管理者が、災害時の無料単品販売／無料連続販売モード、災害時の有料販売モードの各モードを手動にて、あるいは停電を検出することにより予め設定されたモードにて動作するようになっている。
【００１３】
以下の説明では、手動切換方式を説明するものとする。
まず、大規模地震などの災害によって停電となり、自動販売機１への商用電源入力部１７から断たれると、管理者が、自動販売機１の外扉を開け、動作モードを選択する。
ここで、管理者が、手動により設定入力部１２を操作して無料単品販売モードを選択し（ステップＳ３１）、電源切換部１９を操作して商用電源入力部１７から無停電電源装置１８側に切り換えると（ステップＳ３２）、無停電電源装置１８から自動販売機１に給電されるようになる。
この無停電電源装置１８からの給電は、商品搬出に必要な機能のみに限定して給電され（ステップＳ３３）、例えば、貨幣処理部１３および金額表示器２６への給電停止、および冷熱制御部１４、照明制御部１６を介して冷熱装置１４ａ、照明装置１６ａへの給電を停止して、災害時の無料単品販売としての最低条件の機能である商品選択ボタン２２と搬出装置１５ａとに給電するようにして消費電力を抑える。
【００１４】
この電源切換は、図２，図３のブロック図に示すように、切換スイッチ１９ａが操作されると、商用電源入力部１７から無停電電顕装置１８側に電源ラインが切り換わり、このように切り換わることで、図２においては、リレーＹがオンし、リレーＹの接点Ｙｂが開くことで、冷熱装置１４ａ、照明装置１６ａの給電が断たれ、図３においては、冷熱制御部１４、照明制御部１６に対して、電源が切り換わったことによる指令が出力され、冷熱制御部１４、照明制御部１６を介して冷熱装置１４ａ、照明装置１６ａへの給電が断たれて、必要最低限の機能のみに電力が供給されるようになっている。なお、図２、図３には図示していないが、主制御部１１にも電源が切り換わった指令は出力され、各モードに応じた制御を行う。
このような状態で、自動販売機１の商品選択ボタン２２が押されると（ステップＳ３４）、搬出制御部１５から押された商品選択ボタン２２に対応する搬出装置１５ａに対して商品の搬出指令が出され、対応するコラムから商品が商品取出口２８へ搬出され（ステップＳ３５）、商品の無料単品販売が行われる。
【００１５】
この災害時の無料単品販売モードでは、被災者は、ほしいときに商品を無料で受け取ることが可能となる。
〔災害時の無料連続販売モード〕
まず、大規模地震などの災害によって停電となり、自動販売機１への商用電源入力部１７から断たれると、管理者が、自動販売機１の外扉を開け、動作モードを選択する。
ここで、管理者が、手動により設定入力部１２を操作して災害時の無料連続販売モードを選択し（ステップＳ４１）、電源切換部１９を操作して商用電源入力部１７から無停電電源装置１８側に切り換えると（ステップＳ４２）、無停電電源装置１８から自動販売機１に給電されるようになる。
この無停電電源装置１８からの給電は、商品搬出に必要な機能のみに限定して給電され（ステップＳ４３）、例えば、貨幣処理部１３および金額表示器２６への給電停止、および冷熱制御部１４，照明制御部１６を介して冷熱装置１４ａ，照明装置１６ａへの給電を停止して、災害時の無料単品販売としての最低条件の機能である商品選択ボタン２２と搬出装置１５ａとに給電するようにして消費電力を抑える。
【００１６】
この電源切換は、図２，図３のブロック図に示すように、切換スイッチ１９ａが操作されると、商用電源入力部１７から無停電電顕装置１８側に電源ラインが切り換わり、このように切り換わることで、図２においては、リレーＹがオンし、リレーＹの接点Ｙｂが開くことで、冷熱装置１４ａ、照明装置１６ａの給電が断たれ、図３においては、冷熱制御部１４、照明制御部１６に対して、電源が切り換わったことによる指令が出力され、冷熱制御部１４、照明制御部１６を介して冷熱装置１４ａ、照明装置１６ａへの給電が断たれて、必要最低限の機能のみに電力が供給されるようになっている。なお、図２、図３には図示していないが、主制御部１１にも電源が切り換わった指令は出力され、各モードに応じた制御を行う。
このような状態で、商品選択ボタン２２が押されると（ステップＳ４４）、搬出制御部１５から搬出装置１５ａに対して商品の連続搬出指令が出され、対応するコラムから収納されている全ての商品が無くなるまで商品取出口２８へ商品が連続して搬出され（ステップＳ４５）、商品の無料連続販売が行われる。
【００１７】
この災害時の無料連続販売モードでは、一度に多数の被災者に商品を無料で提供したいときに、管理者がまとめて商品を自動販売機から搬出させて後、手渡しにて商品を被災者に提供することが可能となる。
〔災害時の有料販売モード〕
まず、大規模地震などの災害によって停電となり、自動販売機１への商用電源入力部１７から断たれると、管理者が、自動販売機１の外扉を開け、動作モードを選択する。
ここで、管理者が、手動により設定入力部１２を操作して災害時の有料販売モードを選択し（ステップＳ５１）、電源切換部１９を操作して商用電源入力部１７から無停電電源装置１８側に切り換えると（ステップＳ５２）、無停電電源装置１８から自動販売機１に給電されるようになる。
【００１８】
この無停電電源装置１８からの給電は、硬貨投入による販売に必要な機能のみに限定して給電され（ステップＳ５３）、例えば、冷熱制御部１４，照明制御部１６を介して冷熱装置１４ａ，照明装置１６ａへの給電を停止して、災害時の無有料販売として最低条件の機能である貨幣処理部１３、金額表示器２６、商品選択ボタン２２および搬出装置１５ａに給電するようにして消費電力を抑える。
この電源切換は、図２，図３のブロック図に示すように、切換スイッチ１９ａが操作されると、商用電源入力部１７から無停電電顕装置１８側に電源ラインが切り換わり、このように切り換わることで、図２においては、リレーＹがオンし、リレーＹの接点Ｙｂが開くことで、冷熱装置１４ａ、照明装置１６ａの給電が断たれ、図３においては、冷熱制御部１４、照明制御部１６に対して、電源が切り換わったことによる指令が出力され、冷熱制御部１４、照明制御部１６を介して冷熱装置１４ａ、照明装置１６ａへの給電が断たれて、必要最低限の機能のみに電力が供給されるようになっている。なお、図２、図３には図示していないが、主制御部１１にも電源が切り換わった指令は出力され、各モードに応じた制御を行う。
【００１９】
このような状態で、硬貨投入口２４に所定金額の硬貨が投入されると（ステップＳ５４）、商品選択ボタン２２の販売可ランプが点灯し、商品選択ボタン２２が押されると（ステップＳ５５）、搬出制御部１５から押された商品選択ボタン２２に対応する搬出装置１５ａに対して商品の搬出指令が出され、対応するコラムから商品が商品取出口２８へ搬出され（ステップＳ５６）、釣銭がある場合には硬貨返却口２７から釣銭が返却されて、商品の一販売が終了する。
この災害時の有料販売モードは、被害が小さい場合で停電のみ発生している場合に、無停電電源装置１８からの給電によって最低限の有料販売機能を残して、商品の販売を行うものであり、災害時による販売価格の割引設定を別途行ってもよく、また、無駄な電力消費防止のため、商品が無いコラムがあっても売切ランプの点灯せず、硬貨投入時のみ点灯させるようにしても良い。
【００２０】
以上のように、各種の動作モードおよび無停電電源装置への接続を手動あるいは自動によることを選択できるようにすることで、被害の状況あるいは設置場所に応じた形態を選択することが可能となり、無駄な電力消費も抑えることが可能となる。
（実施例２）
次に、本発明の実施例２について、図６、図７のブロック図を用いて説明する。
図６，図７による実施例は、手動による操作手段の具体例を示すもので、４接点（オン−オフ−オン）４０ａ〜４０ｄを持つトグルスイッチ４０を設けたものである。
まず、図６のブロック図において、トグルスイッチ４０の各接点４０ａ〜４０ｄは、接点４０ａ，４０ｂが商用電源入力部１７からの電源供給ラインと無停電電源装置１８からの電源供給ラインとを切り換えるために介挿され、接点４０ｃがリレーＸＡをオンするために設けられ、接点４０ｄが無停電電源装置１８の立上げ用に設けられている。
【００２１】
なお、リレーＸＡは、接点ＸＡａを有しており、この接点ＸＡａは、主制御部１１に対して、電源供給が無停電電源装置１８側に切り換わることを出力するキー入力部１９ａに対して入力信号を与えるものである。
この構成において、まず、自動販売機が、大規模地震などの災害によって停電となり、自動販売機１への給電が商用電源入力部１７から断たれる状態にあるとする。
この状態で、管理者が自動販売機１の扉を開け、トグルスイッチ４０を操作して商用電源入力部１７側から無停電電源装置１８側に切り換える。
このトグルスイッチ４０の操作によって各接点４０ａ〜４０ｄが切り換わり、まず、接点４０ａ，４０ｂにより商用電源入力部１７側の電源供給ライン１７Ａから無停電電源装置１８側の電源供給ライン１８Ａに切り換わり、接点４０ｄにより無停電電源装置１８が立ち上がり、その後、接点４０ｃによりリレーＸＡがオンなる。
【００２２】
このリレーＸＡがオンすることで、接点ＸＡａがオンするため、この接点ＸＡａがオンしたことをキー入力部１９Ａで検出し、キー入力部１９Ａからの信号により、主制御部１１から、冷熱制御部１４、搬出制御部１５、照明制御部１６に対して、電源が切り換わったことによる指令が出力され、冷熱制御部１４，照明制御部１６を介して冷熱装置１４ａ，照明装置１６ａへの給電が断たれる一方、搬出装置１５ａへの給電は引き続き行い、商品選択ボタン２２からの選択信号に基づき、商品を商品取出口に搬出するという商品の搬出に際し、必要最低限の機能のみに電力が供給されるようになっている。
この必要最低限の機能のみへの給電とは、例えば、前記冷熱装置１４ａ，照明装置１６ａへの給電停止の他、貨幣処理部１３および金額表示器２６への給電を停止して、災害時の商品無料提供としての最低条件の機能である商品選択ボタン２２と搬出装置１５ａのみに給電するようにして限られた無停電電源装置１８からの放電を抑える。
【００２３】
この時に、商品の搬出モードとして、前記実施例１と同様に単品販売と連続販売とを予め設定できるようになっているが、この他の方法として、単品販売を行いたい場合には、商品選択ボタン２２を１回押すと、１本の商品が搬出され、連続販売を行いたい場合には、商品選択ボタン２２を長押し、すなわち、押している間、収納されている商品が連続して搬出される。
次に、図７は、図６の他の例であり、図７のブロック図において、図６のブロック図に付加して、リレーＸＡの接点を増やし、接点ＸＡａの他、接点ＸＡ１ａ，ＸＡ２ａを有しており、接点ＸＡ１ａ，ＸＡ２ａは、冷熱装置１４ａと冷熱制御部１４との間、照明制御部1６ａと照明装置１６との間に介挿されている。
この構成において、停電時に、トグルスイッチ４０が操作されると、各接点４０ａ〜４０ｄが切り換わり、商用電源入力部１７の電源供給ライン１７Ａから無停電電顕装置１８側の電源供給ライン１８Ａに切り換わり、無停電電源装置１８９が起動することで、リレーＸＡがオンとなり、そのリレーＸＡの接点ＸＡ１ａ，ＸＡ２ａがオフとなり、接点ＸＡ１ａ，ＸＡ２ａがオフすることで、冷熱装置１４ａ，照明装置１６ａの給電が断たれる。
【００２４】
その他の動作については、先の図６の動作と同様である。
なお、冷却回路、加熱（ヒータ）回路とを合わせて示しているが、実際の電源供給ラインは別々であり、リレーＸＡの接点もその電源供給ラインに応じて付加されるものである。
また、このトグルスイッチ４０の設置場所については、自動販売機の外扉を開けた内部に設けた例として説明したが、自動販売機の外側に外扉とは別に小扉を設けておき、この扉を開けた内部に設けておくことも可能であり、その際には、小扉にもロック機構を設けて、キー操作あるいは停電になると解錠されるようにしてもよく、外部から自由に操作されない位置であればよい。
（実施例３）
次に、手動の操作手段を自動販売機の外側から操作可能キースイッチにて構成した例について図８ないし図１０を用いて説明する。
【００２５】
まず、図８は、実施例３における自動販売機の概略正面図の一例を示すものであり、図５の自動販売機と異なる点は、新たに、外扉２０に電源切換スイッチ３０を設けたものである。
次に、図９は、電源切換スイッチ３０を使用した図１の電源切換部１９の具体的なブロック図を示すものであり、順に説明する。
まず、図９のブロック図において、電源切換スイッチ３０は、商用電源入力部１７のオン・オフのキースイッチ３０ａ、無停電電源装置１８のオン・オフのキースイッチ３０ｂを備えている。
次に、商用電源入力部１７から自動販売機の駆動部への商用電源供給ライン１７Ａには、無停電電源装置１８から自動販売機の駆動部への無停電電源供給ライン１８Ａとの切換用のリレーＹが介挿され、このリレーＹの接点Ｙ１ａ，Ｙ２ａが商用電源供給ライン１７Ａに、接点Ｙ１ｂ，Ｙ２ｂが無停電電源供給ライン１８Ａにそれぞれ介挿されている。
【００２６】
また、無停電電源装置１８側の無停電電源供給ライン１８Ａには、無停電電源装置１８と自動販売機の駆動部とを接続するためのリレーＸが介挿され、このリレーＸの接点Ｘａ１，Ｘａ２が先のリレーＹの接点Ｙ１ｂ，Ｙ２ｂと無停電電源供給ライン１８Ａ上で直列に接続されており、また、リレーＸの接点Ｘａ３は、主制御部１１に対して、電源供給が無停電電源装置１８側に切り換わったことを出力するキー入力部１９ａに対して信号を与える。
さらに、リレーＹには、タイマリレーＴＭが並列に接続されており、無停電電源装置１８側から商用電源入力部１７側に電源切換スイッチ３０を切り換えた際に、タイマリレーＴＭの接点ＴＭａが所定の時間後、例えば約１秒後にオンして、リレーＹをオンするように動作するものである。
【００２７】
この構成において、まず、自動販売機が、大規模地震などの災害によって停電となり、自動販売機１への給電が商用電源入力部１７から断たれる状態にあるとする。
この状態で、管理者が所有しているキーにより、自動販売機１前面に設けられている電源切換スイッチ３０を操作する。
この電源切換スイッチ３０を操作することにより、商用電源入力部１７側のキースイッチ３０ａがオフ、無停電電源装置１８側のキースイッチ３０ｂがオンとなり、この電源切換スイッチ３０のキースイッチの切り換わりにより、リレーＹはオフし、その接点Ｙ１ａ，Ｙ２ａがオフ、接点Ｙ１ｂ，Ｙ２ｂがオンとなると、無停電電源装置１８が立ち上がり、無停電電源装置１８が起動することにより、リレーＸがオンし、その接点Ｘ１ａ〜Ｘ３ａがオンとなることで、無停電電源装置１８の無停電電源供給ライン１８Ａから接点Ｘ１ａ，Ｘ２ａ、接点Ｙ１ｂ，Ｙ２ｂを介して、自動販売機への給電が行われることになる。
【００２８】
この無停電電源装置１８からの給電は、商品搬出に必要な機能のみに限定して給電されるようになっており、リレーＸａの接点Ｘ３ａがオンしたことをキー入力部１９Ａが検出し、主制御部１１から冷熱制御部１４、搬出制御部１５、照明制御部１６に対して電源が切り換わったことによる指令が出力され、冷熱制御部１４、照明制御部１６を介して冷熱装置１４ａ、照明装置１６ａへの給電が断たれて、搬出装置１５ａへの給電は引き続き行い、商品選択ボタン２２からの選択信号に基づき、商品を商品取出口に搬出するという商品の搬出に際し、必要最低限の機能のみに電力が供給されるようになっている。
この必要最低限の機能のみへの給電とは、例えば、前記冷熱装置１４ａ、照明装置１６ａへの給電停止の他、貨幣処理部１３および金額表示器２６への給電を停止して、災害時の商品無料提供としての最低条件の機能である商品選択ボタン２２と搬出装置１５ａのみに給電するようにして限られた無停電電源装置１８からの放電を抑える。
【００２９】
この時に、商品の搬出モードとして、前記実施例１と同様に単品販売と連続販売とを予め設定できるようになっているが、この他の方法として、単品販売を行いたい場合には、商品選択ボタン２２を１回押すと、１本の商品が搬出され、連続販売を行いたい場合には、商品選択ボタン２２を長押し、すなわち、押している間、収納されている商品が連続して搬出される。
なお、図９のブロック図には、商用電源入力部１７の商用電源供給ライン１７ＡにタイマリレーＴＭとその接点ＴＭａが介挿されていることにより電源間の短絡が無くなる電源間短絡防止回路が形成される。
まず、電源切換スイッチ３０のキースイッチ３０ａ，３０ｂを商用電源入力部１７側から無停電電源装置１８側に切り換えた際に、リレーＹは即時にオフし、その接点Ｙ１ａ，Ｙ２ａがオフ、接点Ｙ１ｂ，Ｙ２ｂがオンとなる。同時に、無停電電源装置の電源が立ち上がるが、実際には立ち上がり時間があり、若干のタイムグを持ってリレーＸがオンし、接点Ｘ１ａ，接点Ｘ２ａがオンとなって電源が切り換わるが、この接点Ｘ１ａ，接点Ｘ２ａがオンとなるまでは、接点Ｙ１ｂ，Ｙ２ｂは無電圧なので、電源間は短絡しない。
【００３０】
一方、電源切換スイッチ３０のキースイッチ３０ａ，３０ｂを無停電電源装置１８側から商用電源入力部１７側に切り換えた際には、タイマリレーＴＭはオンとなるが、その接点ＴＭａはオンディレーのため、すぐにはオンとならず、所定時間後にオンとなる。
そこで、リレーＹは、接点ＴＭａがオンとなるまでは通電されないため、この所定時間の間に無停電電源装置１８の出力を停止し、リレーＸをオフして、接点Ｘ１ａ，接点Ｘ２ａもオフすることで無電圧となり、この後、接点ＴＭａがオンとなり、リレーＹがオンして接点Ｙ１ｂ，Ｙ２ｂがオフして、接点Ｙ１ａ，Ｙ２ａがオンとなるため、電源間は短絡しない。
次に、図１０は、図９の他の例であり、図１０のブロック図において、図９のブロック図に付加して、リレーＹとタイマリレーＴＭとの並列回路にリレーＺを更に並列に付加に接続し、そのリレーＺは、接点Ｚ１ａ，Ｚ２ａを有しており、それぞれ冷熱装置１４ａと冷熱制御部１４との間、照明制御部1６ａと照明装置１６との間に介挿されている。
【００３１】
この構成において、電源切換スイッチ３０が操作されると、商用電源入力部１７側のキースイッチ３０ａがオフ、無停電電源装置１８側のキースイッチ３０ｂがオンとなり、この電源切換スイッチ３０のキースイッチの切り換わりにより、商用電源入力部１７による電源供給ライン１７Ａから電源供給ライン１８から無停電電顕装置１８側の電源供給ライン１８Ａに切り換わる
この電源切換スイッチ３０の切り換えで、新たに介挿したリレーＺもオフとなり、接点Ｚ１ａ，Ｚ２ａがオフすることで、冷熱装置１４ａ，照明装置１６ａの給電が断たれる。
その他の動作については、前記図９の動作と同様である。
なお、冷却回路、加熱（ヒータ）回路とを合わせて示しているが、実際の電源供給ラインは別々であり、リレーＺの接点Ｚａもその電源供給ラインに応じて付加されるものである。
【００３２】
また、この図１０のブロック図においても、前記図９のブロック図同様にタイマリレーＴＭとその接点ＴＭａが介挿されていることにより電源間の短絡が無くなる電源間短絡防止回路が形成され、その動作は、前記図１０の動作と同様である。
次に、図１１のブロック図は、図９，図１０のブロック図における電源間短絡防止回路の他例を示すものであり、図９、図１０のブロック図に、さらに、タイマリレーＴＭ２を無停電電源装置１８側の電源供給ライン１８Ａに介挿したものである。
具体的には、タイマリレーＴＭ２を、無停電電源装置１８側の電源供給ライン１８ＡのリレーＸに並列に接続し、そのタイマリレーＴＭ２の接点ＴＭ２ａをリレーＸに対して、直列に介挿することにより達成される。
この構成において、電源切換スイッチ３０のキースイッチを商用電源入力部１７側から無停電電源装置１８側に切り換えた際に、リレーＹは即時にオフし、その接点Ｙ１ａ，Ｙ２ａがオフ、接点Ｙ１ｂ，Ｙ２ｂがオンとなる。同時に、無停電電源装置の電源が立ち上がり、続いてリレーＸがオン、接点Ｘ１ａ，接点Ｘ２ａがオンとなって電源が切り換わるが、接点Ｘ１ａ，接点Ｘ２ａがオンとなるまでは、接点Ｙ１ｂ，Ｙ２ｂは無電圧なので短絡はしない。
【００３３】
一方、電源切換スイッチ３０を無停電電源装置１８側から商用電源１７側に切り換えた際には、図９、図１０の動作と同じである。
このように、電源切換スイッチ３０のキースイッチを商用電源入力部１７側から無停電電源装置１８側に切り換えた際にも、タイマリレーを作動させることで、無停電電源装置１８の起動時間が短くなった際にも、短絡防止が可能となる。
（実施例４）
図１２のブロック図は、無停電電源装置１８側に商用電源入力部１７の状態を検出する検出部１８aを備えた例を示す。
すなわち、無停電電源装置１８内部に電源切換部１９の機能を内蔵し、電源切換スイッチ３０のキースイッチ３０ｂがオンしたことを検出し、その時点での商用電源入力部１７の停電か否かの電源状態を検出部１８ａにて検出し、停電状態であれば、無停電電源装置１８側からの給電に切換え、停電でなければ、無停電電源装置１８側への切り換えは行わない。
【００３４】
このように、構成することにより、電源間短絡防止になり、かつ、例え、誤って電源切換スイッチ３０を操作したとしても、商用電源１７の電源状態を検出してから切り換えるようになっているので、確実に電源切換を行える。
なお、実施例１ないし４において、手動の場合、自動販売機の動作モードの切り換えと電源切換部とを操作することで、災害で必要なときのみに無料販売が可能となり、例えば、避難所などに施設に自動販売機が設けられている際には、無料連続販売モードとして、いち早く商品を提供できるなど、被害状況に応じたモード選択が可能となる。
また、大規模災害の場合、管理者がすぐに駆けつけることができない場合があり、そのような場所に設置されると想定される自動販売機においては、遠隔操作など自動的に災害モードにて運転可能な状態に切り換えるように設定にしておくことも可能である。
【００３５】
さらに、実施例１においては、予め設定して、単品販売と連続販売との切換を、実施例２ないし４においては、商品選択ボタンの押動に応じて、単品販売と連続販売との切換を行うようにしているが、２つの切換方法のいずれを利用してもよい。
また、必要最低限の電力供給のため、停電時の無料販売においては、貨幣処理部および金額表示器への給電も停止したが、消費電力量の大きい冷熱装置、照明装置のみにしてよいことは明らかである。
【図面の簡単な説明】
【００３６】
【図１】本発明の一実施の形態である制御装置を示す構成ブロック図
【図２】本発明の実施例１の図１における具体的な一例を示すブロック図
【図３】本発明の実施例１の図１における具体的な他の一例を示すブロック図
【図４】本発明の実施例１における動作を示すフローチャート図
【図５】本発明の一実施の形態である自動販売機の概略正面図
【図６】本発明の実施例２におけるブロック図
【図７】本発明の実施例２における他の例を示すブロック図
【図８】本発明の実施例３における自動販売機の概略正面図
【図９】本発明の実施例３を示すブロック図
【図１０】本発明の実施例３における他の例を示すブロック図
【図１１】本発明の実施例３における他の例を示すブロック図
【図１２】本発明の実施例４を示すブロック図
【符号の説明】
【００３７】
１          自動販売機
２２        商品選択ボタン
１１        主制御部
１２        設定入力部
１７        商用電源入力部
１８        無停電電源装置
１９        電源切換部
１９ａ      切換スイッチ
３０        電源切換スイッチ
４０        トグルスイッチ
【図１】
2006195950.tif 000003
【図２】
2006195950.tif 000004
【図３】
2006195950.tif 000005
【図４】
2006195950.tif 000006
【図５】
2006195950.tif 000007
【図６】
2006195950.tif 000008
【図７】
2006195950.tif 000009
【図８】
2006195950.tif 000010
【図９】
2006195950.tif 000011
【図１０】
2006195950.tif 000012
【図１１】
2006195950.tif 000013
【図１２】
2006195950.tif 000014